(57)【特許請求の範囲】
【請求項１】
遊技釘等の障害物に干渉されながらパチンコ球が落下する遊技領域を有する遊技面を備えるとともに、前記遊技領域を外周から包囲して画定する遊技領域画定部をパチンコ球が滑走するパチンコ球滑走部に略沿ってその内側に位置させることで両者間にパチンコ球通過領域を形成する通過領域形成部材を備えた遊技体と、
同遊技体の前面に対し開閉可能に装着され、同遊技体に対して閉鎖された状態で前記遊技面を目視させるための窓部を有する扉体と、
前後に配置される板状の透明体と同透明体の外周を囲う形状に形成され同透明体が所定間隔を空けて平行に取り付けられる枠体とを有し、前記扉体の背面側に配設されて前記窓部を塞ぐ透明体ユニットとを備え、
前記透明体は、前記扉体を前記遊技体に対して閉鎖状態とした際に前記遊技領域の前方側に位置し、
前記枠体の外周のうち透明体の外周を包囲する後側の部位の一部は、前記通過領域形成部材によって形成されるパチンコ球通過領域の前方を覆う形状であって後側の透明体における前記遊技領域側の面と略面一に形成されるとともに、前記枠体の外周のうち透明体の外周を包囲する後側の部位には前記通過領域形成部材と重複状に配置される庇部を形成したことを特徴とするパチンコ遊技機。
【発明の詳細な説明】
【技術分野】
【０００１】
本発明は、遊技釘等の障害物に干渉されながらパチンコ球が落下する遊技面を有し、パ
チンコ球発射機構から発射されるパチンコ球を上方に導くレール部材が同遊技面表面に配
設されたパチンコ遊技機に関するものである。
【背景技術】
【０００２】
基本的にパチンコ遊技機における遊技では遊技者の能動的なハンドル操作によってパチ
ンコ球発射機構を駆動させてパチンコ球を発射させる。パチンコ球発射機構から発射され
たパチンコ球は与えられた推進力によって遊技領域の下方の助走部を斜めに横切り、レー
ル部材としての外レールに達すると遊技領域外周に沿って弧を描きながら上方に導かれ遊
技領域内に放出されるようになっている。ここに、遊技領域とは遊技面に形成された内・
外レールによって包囲された目視可能な領域を言う。
【０００３】
遊技面の前方は扉枠に覆われており、窓部には背面側からガラス板が装着されている。
遊技者は扉枠に形成された窓部からガラス板越しに遊技領域を目視し、遊技領域を遊技
釘等の障害物に干渉されながら落下するパチンコ球を確認することとなる。つまり扉枠に
は遊技者が遊技面に直接手で触ることを防止するためのガラス板による一種のショーウィ
ンドーが設けられることとなる。
更に、従来ではガラス板は遊技領域からレールのパチンコ球が通過する通路部分、つま
りパチンコ球通過領域前方位置にまで拡張されており、レールを滑走するパチンコ球が脱
落して機内に落下しないような押さえ蓋の役割も果たしている。
例えば特許文献１のパチンコ遊技機に基づいてガラス板の押さえ蓋としての機能につい
て簡単に説明する。特許文献１ではその図６に示すように、ガラスフレーム１６１に対し
て２枚のガラス板１６５，１６６を所定間隔を空けて平行に取り付けてガラスユニット１
６０が構成されている。そしてこのようなガラスユニット１６０を図５に示すように前扉
枠１３の背面に取り付けるようにしている。この時、同図に示すように二点鎖線で示す視
認領域Ｒａよりも外方はちょうどレール部のパチンコ球通過領域（内レール５１と外レー
ル５２とで挟まれる領域）に対応して膨出しておりこの間におけるパチンコ球の前方側の
押さえ蓋とされている。これによって発射されたパチンコ球は両レール５１，５２から前
方にこぼれることなく遊技領域に導かれることとなる。
【特許文献１】特開２００４−３２１７１５号公報
【発明の概要】
【発明が解決しようとする課題】
【０００４】
従来ではガラス板とは別部材で押さえ蓋を装着してガラス板にパチンコ球が当たらないように対処することもあったが、別部材となる押さえ蓋をレールに装着することは構成部材の増加と組立工程が多くなることからコストアップにつながることと、パチンコ球がパチンコ球通過領域内の押さえ蓋位置で詰まってしまうと押さえ蓋を取り外さなければならないという不具合が発生する可能性があった。
本発明は、このような従来の技術に存在する問題点に着目してなされたものである。その目的とするところは、透明体ユニットとは別部材の押さえ蓋の追加によるコストアップを抑えつつパチンコ球通過領域の前方を覆うと共にそのような押さえ蓋の追加によるパチンコ球通過領域内での球詰まりを低減することが可能なパチンコ遊技機を提供するものである。
【課題を解決するための手段】
【０００５】
上記の目的を達成するために請求項１の発明では、遊技釘等の障害物に干渉されながらパチンコ球が落下する遊技領域を有する遊技面を備えるとともに、前記遊技領域を外周から包囲して画定する遊技領域画定部をパチンコ球が滑走するパチンコ球滑走部に略沿ってその内側に位置させることで両者間にパチンコ球通過領域を形成する通過領域形成部材を備えた遊技体と、同遊技体の前面に対し開閉可能に装着され、同遊技体に対して閉鎖された状態で前記遊技面を目視させるための窓部を有する扉体と、前後に配置される板状の透明体と同透明体の外周を囲う形状に形成され同透明体が所定間隔を空けて平行に取り付けられる枠体とを有し、前記扉体の背面側に配設されて前記窓部を塞ぐ透明体ユニットとを備え、前記透明体は、前記扉体を前記遊技体に対して閉鎖状態とした際に前記遊技領域の前方側に位置し、前記枠体の外周のうち透明体の外周を包囲する後側の部位の一部は、前記通過領域形成部材によって形成されるパチンコ球通過領域の前方を覆う形状であって後側の透明体における前記遊技領域側の面と略面一に形成されるとともに、前記枠体の外周のうち透明体の外周を包囲する後側の部位には前記通過領域形成部材と重複状に配置される庇部を形成したことをその要旨とする。
【発明の効果】
【００１３】
上記請求項に記載された発明では、透明体ユニットとは別部材の押さえ蓋の追加によるコストアップを抑えつつパチンコ球通過領域の前方を覆うと共にそのような押さえ蓋の追加によるパチンコ球通過領域内での球詰まりを低減することができる。
【図面の簡単な説明】
【００１４】
【図１】本発明を応用した実施の形態のパチンコ遊技機の正面図。
【図２】同じパチンコ遊技機の側面図。
【図３】同じパチンコ遊技機の扉枠を開放した状態の平面図。
【図４】同じパチンコ遊技機の分解斜視図。
【図５】同じパチンコ遊技機において扉枠と遊技盤を除いた状態の正面図。
【図６】同じパチンコ遊技機において扉枠を除いた状態の正面図。
【図７】図６において扉枠側のガラスフレームとの重複関係を説明する説明図。
【図８】同じパチンコ遊技機の扉枠の背面図。
【図９】図８の背面図からガラスユニットを取り外した状態の背面図。
【図１０】ガラスフレームの背面図。
【図１１】ガラスユニットの正面図。
【図１２】図１０のＥ−Ｅ線における断面図。
【図１３】図１０のＦ−Ｆ線における一部省略断面。
【図１４】ガラスフレームの背面からの斜視図。
【図１５】図１２のＲ３に包囲された部分の拡大図。
【図１６】図１１のＧ−Ｇ線における断面図。
【図１７】（ａ）は前面側、（ｂ）は後面側のガラス板の正面図。
【図１８】ガラスフレームをクランプレバーによって固定する状態を説明する部分拡大側面図であって（ａ）は固定前、（ｂ）は固定状態。。
【図１９】ガラスフレームをクランプレバーによって固定する状態を説明する部分拡大背面図。
【図２０】ガラスフレームをクランプユニットによって固定する状態を説明する部分拡大側面図であって（ａ）は固定前、（ｂ）は固定状態。
【図２１】図７のＡ−Ａ線における図６及び図７を合成した図面の断面図。
【図２２】図７のＢ−Ｂ線における図６及び図７を合成した図面の断面図。
【図２３】図７のＣ−Ｃ線における図６及び図７を合成した図面の断面図。
【図２４】図７のＤ−Ｄ線における図６及び図７を合成した図面の断面図。
【図２５】ガラスフレームの遮蔽部とパチンコ球発射通路との重複関係を説明する説明図。
【図２６】図２５のＧ−Ｇ線における断面図。
【図２７】他の実施の形態のガラスユニットの正面図。
【図２８】他の実施の形態におけるガラスユニットと起毛テープの使用方法の説明図。
【発明を実施するための形態】
【００１５】
以下、本発明の各実施の形態について図面に基づいて説明する。
図１〜図６に示すように、パチンコ遊技機１１は支持枠体としての外枠１２を備えてい
る。外枠１２は、遊技ホールへの設置の際にいわゆる島設備に取り付けられる。外枠１２
は上下左右の各枠板１２ａ〜１２ｄによって四角形に枠組みされた木製の枠体とされてい
る。下部枠板１２ｄ上面には幕板１３が配設されている。
外枠１２内には本体枠１４が装着されている。遊技体の一部をなす本体枠１４はパチン
コ遊技機の構造的な中核を形成するパネル状の構成部材であって、外枠１２内において幕
板１３上に配置されている。図４及び図５に示すように、本体枠１４は正面視において略
長方形の外郭を備えたＡＢＳ製のパネルとされている。本体枠１４は正面から見て左方寄
りにおいて上下に配設された開閉金具１５の開閉軸線Ｐ（図４参照）を軸心として外枠１
２に対して前方側に開放可能とされている。
【００１６】
図５及び図６に示すように、本体枠１４の下部領域には本体枠側機構部１６が形成され
ている。本体枠側機構部１６を正面から見て右方にはパチンコ球発射ユニット１７が配設
されている。パチンコ球発射ユニット１７はソレノイド等から構成された発射部１８と、
発射部１８にパチンコ球を順に送出する送球部１９及び補助レール２０から構成されてい
る。本体枠側機構部１６の正面から見て左方には上部パチンコ球流入路２１と下部パチン
コ球流入路２２がそれぞれ配設されている。両パチンコ球流入路２１，２２間にはバイパ
ス通路２３が形成されている。下部パチンコ球流入路２２の上方にはファール球通路２４
が形成されている。バイパス通路２３及びファール球通路２４はユニット化されている。
本体枠側機構部１６の裏面側にはすべての遊技球を回収して一旦機外に放出させるための
遊技球回収通路２６が形成されている（図４参照）。
【００１７】
本体枠側機構部１６の上方には遊技盤取り付けスペース２５が形成され、遊技盤２７が
同スペース２５内に配設されている。同スペース２５は遊技盤２７が載置される棚部２８
（図４参照）と、略楕円形状に切り欠き形成された窓孔２９を有している。窓孔２９の周
囲は棚部２８に載置された遊技盤２７の前面周縁が当接する前板部３０とされている。図
４に示すように、木製の遊技盤２７の外郭は略正方形形状とされ、棚部２８に載置された
状態で図示しない係止手段によって前板部３０に対して圧着固定される。図６に示すよう
に、遊技盤２７は同スペース２５に配設された状態で前面に形成された遊技面２７ａが窓
孔２９から前方に露出される。窓孔２９を包囲する壁面３１の一部は後述する遊技領域の
一部を画定する。
【００１８】
遊技体の一部をなす遊技盤２７には遊技面２７ａから裏面に貫通する大小複数の開口部
が形成され、各開口部にはそれぞれ目的に応じた各種装飾パネルが併設されている。遊技
盤２７の略中央には可変表示ユニット３５が配設されている。可変表示ユニット３５は大
型の液晶ディスプレイ３６を備えている。図４に示すように可変表示ユニット３５は遊技
盤２７背面に配置される表示制御装置３７を備えている。可変表示ユニット３５の直下に
は始動口３８が配置されており、さらにその下方にいわゆる大入賞口と呼称される可変入
賞装置３９が配置されている。可変表示ユニット３５の左右両側にスルーゲート４０が配
置され、始動口３８の左右両側方向には一般入賞口４１がそれぞれ複数配置されている。
遊技盤２７の最下部位置にはアウト口４２が設けられており、各種入賞口等に入らなかっ
た遊技球はアウト口４２を通って図示しない球排出路の方へと案内されるようになってい
る。遊技盤２７の表面には、遊技球の落下方向を適宜分散、調整等するために多数の遊技
釘が植設されている。また、風車４３等の各種部材（役物）が配設されている。
【００１９】
遊技盤２７の遊技面２７ａ上には、レール部材としての外レール５１と内レール５２が
装着されている。遊技盤２７が本体枠１４の遊技盤取り付けスペース２５に配設された状
態で両レール５１，５２及び前記本体枠１４側の窓孔２９を包囲する壁面３１の一部によ
って遊技面２７ａに遊技領域が画定されている。
図６に示すように、外レール５１は前記パチンコ球発射ユニット１７の補助レール２０
の正面から見て左斜め上方であって、同補助レール２０の延長方向にファール球通路２４
上方の空間を隔てた位置にその基端が配置されている。外レール５１は円弧状に形成され
基端から時計回り方向に上方に向かって延出され遊技面２７ａの頂点から若干進んだ位置
（遊技面２７ａを時計のダイヤルと見立てた場合の略２時方向位置）にその先端が配置さ
れている。
【００２０】
内レール５２は遊技面２７ａを時計のダイヤルと見立てた場合の略４時方向に基端が配
置されている。内レール５２は円弧状に形成され、基端から時計回り方向に下方に向かっ
て延出され、前記アウト口４２前面を略水平に横切った後、外レール５１の内周側を上方
に向かって延出され、遊技面２７ａの頂点の手前位置（遊技面２７ａを時計のダイヤルと
見立てた場合の略１０時方向位置）にその先端が配置されている。内レール５２の先端に
は遊技面２７ａに打ち出された遊技球（パチンコ球）の逆進を防止するための片持ちの舌
片が形成された逆進防止部材５５が装着されている。円弧状の内レール５２の最下方位置
はアウト口４２と交差する位置とされている。両レール５１，５２は正面から見てアウト
口４２の左方位置から逆進防止部材５５位置（つまり内レール５２の先端）にかけて隣接
して配置されパチンコ球発射通路４９が形成されている。
【００２１】
図７に示すように、パチンコ球発射通路４９はその入り口４９ａから外側方に拡がると
ともに同時に上昇していくような（上昇と側方への両方向へのベクトルを合成して構成さ
れる方向）円弧状のカーブを描く前半部Ｐと、側方へのベクトルはほとんど消失して上昇
方向のみのベクトルから構成される中半部Ｑと、逆に内側方に戻るとともに同時に上昇し
ていくような円弧状のカーブを描く後半部Ｒとの大きく分けて３つの通過領域を備えてい
る。パチンコ球は前半部Ｐにおいては発射の勢いは減衰していくものの比較的強い推進力
を維持したまま通過することとなる。しかし、中半部Ｑではパチンコ球はほとんど上昇方
向のみの進行となるため急激に推進力は減衰する。そして、後半部Ｒでは更に勢いは衰え
遊技領域への飛び出しと同時に放物線を描いて落下に転ずることとなる。もちろん、ハン
ドル７３の操作によってパチンコ球の推進力は調節可能であるが、いずれにしてもパチン
コ球発射通路４９を通過するすべてのパチンコ球の勢いは前半部Ｐ＞中半部Ｑ＞後半部Ｒ
で徐々に弱まっていく。
【００２２】
外レール５１及び内レール５２は帯状の同幅に形成されたステンレス製薄板条体から構
成されている。図６に示すように、両レール５１，５２の一側には適度な間隔を開けて釘
５３が突設されている。両レール５１，５２は遊技面２７ａ側縁部に対して釘５３を食い
込ませて固定されている。両レール５１，５２は遊技面２７ａに対して前方に向かって略
垂直に立設されている。本実施の形態では両レール５１，５２の幅は１６．５ｍｍとされ
ている。
外レール５１の先端と内レール５２の基端との間には両レール５１，５２は配設されて
おらず、窓孔２９の壁面３１の一部となる内周壁５６によって遊技領域が画定されている
。内側壁５６は両レール５１，５２の曲率に略応答した曲率で弧状の壁面として構成され
ている。
【００２３】
遊技球（パチンコ球）はパチンコ球発射ユニット１７によって打ち出されると補助レー
ル２０を滑走した後、外レール５１に乗り移り外レール５１を更に滑走しながら外レール
５１と内レール５２との間のパチンコ球発射通路４９を上方に向かって進み遊技面２７ａ
に飛び出す。この時、パチンコ球発射ユニット１７による打ち出し力が弱く補助レール２
０から外レール５１に乗り移ることができなかったり、外レール５１に乗り移っても遊技
領域まで至らなかったパチンコ球は落下してファール球通路２４に導かれる。
遊技領域に放出された遊技球は落下しながら遊技釘、装飾パネルあるいは各種役物等と
干渉して弾かれながら降下し、途中始動口３８、可変入賞装置３９及び一般入賞口４１に
入賞する球以外はすべて内レール５２上に落下し、同内レール５２を伝わって最下部位置
のアウト口４２に導かれる。入賞した入賞球、アウト口４２に導かれたアウト球は遊技盤
２７背面の遊技球回収通路２６に集合し、機外に一旦放出される。
【００２４】
本体枠１４の前面には扉体としての扉枠６１が配設されている。図１、図２、図８及び
図９に示すように、扉枠６１は本体枠１４の正面から見た外郭と略一致した長方形形状の
外郭の正面形状を有している。扉枠６１は本体枠１４に対して開閉可能に取り付けられて
いる。扉枠６１は本体枠１４と同様前記開閉金具１５の開閉軸線Ｐと同軸に取り付けられ
た開閉金具５４を軸心として前方側に開放可能とされている。そのため、本体枠１４は外
枠１２に対して開閉可能とされるとともに、扉枠１７は外枠１２と本体枠１４のそれぞれ
に対して独立して開閉可能とされている。扉枠６１はＡＢＳ樹脂製のパネル体であって、
内部に縦横に配設された図示しない合金製の補強リブによって補強されている。
【００２５】
図１、図８及び図９に示すように、扉枠６１には遊技者が遊技面２７ａを目視するため
の窓部としての目視用窓孔６２が形成されている。目視用窓孔６２は略楕円形状に形成さ
れ、扉枠６１が本体枠１４に対して閉鎖された状態で同本体枠１４側の窓孔２９と対峙す
る。図９に示すように、扉枠６１の裏面側であって目視用窓孔６２の周囲には後述するガ
ラスユニット７５の位置決め用の取り付けスペース５７が形成されている。取り付けスペ
ース５７の周囲には所定の位置（本実施の形態では３箇所）にガラスユニット７５固定用
のクランプレバー５８が配設されている。クランプレバー５８周辺の構造については後述
する。扉枠６１の裏面側であって目視用窓孔６２の上部には横長の収容部５９が形成され
ている。収容部５９内にはクランプユニット６０が吊り下げ支持されている。収容部５９
及びクランプユニット６０周辺の構造については後述する。
【００２６】
扉枠６１の前面側であって、目視用窓孔６２の左右及び上方には前方に膨出した装飾用
パネル６３が配設されている。装飾用パネル６３内にはスピーカ装置６５（図８及び図９
参照）や図示しない装飾ランプが配設されている。目視用窓孔６２の下方位置には、前側
へ膨出した第１の膨出部６６が設けられ、その第１の膨出部６６内側が上受け皿６７とさ
れている。上受け皿６７は後述する払出装置より払い出された遊技球を一旦貯留し、一列
に整列させながらパチンコ球発射ユニット１７に導くための球貯留部である。上受け皿６
７内部の上流位置には裏面に連通する通路６８が形成されている（図８及び図９参照）。
同通路６８は前記本体枠１４側の上部パチンコ球流入路２１と接続され後述する遊技球供
給装置１２１から供給されるパチンコ球を上受け皿６７に導入させる。
【００２７】
第１の膨出部６６の下方位置には、前側へ膨出した第２の膨出部７０が設けられ、その
第２の膨出部７０内側が下受け皿７１とされている。下受け皿７１はバイパス通路２３及
びファール球通路２４から流下するパチンコ球を貯留したり、遊技者の能動的な操作に基
づいて上受け皿６７から流下させたパチンコ球を貯留するための補助的な球貯留部である
。
装飾用パネル６３、第１の膨出部６６及び第２の膨出部７０は全体としてデザイン的な
統一が図られている。
正面から見て下受け皿７１の左方には灰皿７２が配設されている。下受け皿７１の右方
にはパチンコ球発射ユニット１７と連動する遊技球打ち出し用ハンドル７３が前方に突出
形成されている。
【００２８】
図８に示すように、扉枠６１の裏面には透明体ユニットとしてのガラスユニット７５が
配設されている。ガラスユニット７５は扉枠６１に形成された前記取り付けスペース５７
内に配置されている。図１０〜図２０に基づいてガラスユニット７５について説明する。
ガラスユニット７５は、モールド成形によって一体的に製造されたＡＢＳ樹脂製のガラ
スフレーム７６を備えている。ガラスフレーム７６には前後二枚のガラス板７７，７８が
所定間隔を開けて平行に装着されている。本実施の形態では、ガラスフレーム７６が保持
枠体に相当し、ガラス板７７，７８が透明板に相当する。
ガラスフレーム７６は楕円環状の外形形状を有し、細枠部７９と細枠部７９の一部が外
方に拡張された膨出部８０とから基本形状が構成されている。
細枠部７９は周方向に延出された平板部８１と平板部８１内周において径方向に突起し
た凸条８２を備えている。凸条８２はガラスフレーム７６の全周に渡って延出され、同凸
条８２に包囲された内周は楕円形状をなしている。図１５に示すように、ガラスフレーム
７６には平板部８１の凸条８２によって分割された内周面８１ａ，８１ｂと凸条８２の両
側面８２ａ，８２ｂとによって前後にガラス板支持部８３ａ，８３ｂが構成されている。
図１５に示すように、平板部８１の前面８１Ａと後面８１Ｂとの間がガラスフレーム７
６の厚みＬとされている。
【００２９】
膨出部８０はガラスフレーム７６の扉枠６１への装着状態で正面からみて細枠部７９の
左斜め下方向の側部（背面からの目視となる図８では右斜め下方向の側部）から外方に向
かって膨出状に形成されている。膨出部８０の厚み（幅）は細枠部７９の平板部８１と同
幅に形成されている。つまり膨出部８０も平板部８１の前面８１Ａ及び後面８１Ｂとによ
って画定される厚みＬに構成されている。
膨出部８０は頂点が丸く面取りされた略二等辺三角形の外形形状とされている。膨出部
８０の表面側（図１１で示される面）には凹部８４が形成されている。図１１及び図１６
に示すように、凹部８４内においてリブ８５で区画された収容領域Ｓには乾燥剤８６が収
容されている。乾燥剤８６は例えばゼオライトやシリカゲル等の周知の乾燥剤を使用する
ことが可能である。
図１０に示すように、膨出部８０の表面側においては細枠部７９から膨出部８０方向に
延設された平板部８１は膨出部８０の外郭に沿って凹部８４を包囲するように配置されて
いる。また、膨出部８０の表面側においては凸条８２の側面８２ａは細枠部７９から膨出
部８０方向に延設され平板部８１に沿って凹部８４を包囲するように配置されている。
一方、膨出部８０の脊面側（図１０で示される面）では平板部８１及び凸条８２の側面
８２ｂは膨出部８０方向に延設されず楕円環状を構成する。
【００３０】
ガラスフレーム７６には扉枠６１への装着状態における正面側からの目視状態において
（図１１の状態）左側上部位置に上部ブラケット８８が形成されている。上部ブラケット
８８先端には下方に向かって突起した回動軸８９が形成されている。膨出部８０の外方に
は下部ブラケット９０が形成されている。下部ブラケット９０先端には下方に向かって突
起した回動軸９１が形成されている。両回動軸８９，９１の軸心は同一直線上に存在する
。
ガラスフレーム７６の上部ブラケット８８と膨出部８０の間には側部耳板部９３が張り
出し形成されている。膨出部８０の下方位置には下部耳板部９４が外方に向かって張り出
し形成されている。
【００３１】
図１０に示すように、扉枠６１への装着状態側からの目視状態において、上部ブラケッ
ト８８、膨出部８０、側部耳板部９３及び下部耳板部９４はそれぞれ隣接する部分と一体
的に連結されガラスフレーム７６裏面の側方位置にガラスフレーム７６の湾曲に沿った、
つまり内レール５２の湾曲に略沿った帯状の遮蔽部９２を形成する。遮蔽部９２の裏面は
平板部８１の後面８１Ｂと同一平面上にある。
細枠部７９の上部には左右一対のフック９５が形成されている。ガラスフレーム７６の
扉枠６１への装着状態で正面からみて右側の上下寄りには位置決め用の位置決め板９６が
併設された２つの押さえ板９７が外方に向かって張り出し形成されている。細枠部７９の
下部には押さえ板９８が外方に向かって張り出し形成されている。これらフック９５及び
押さえ板９７，９８も平板部８１の厚み内に収まっている。
【００３２】
図１０、図１２〜図１５に示すように、ガラスフレーム７６において平板部８１の後面
８１Ｂから後方に向かって突出部としての庇部９９が突設されている。図１２、図１７等
に示すように、庇部９９の内周面（図１０において上方）は平板部８１の内周面８１ｂと
面一とされ、膨出部８０から下部側の押さえ板９７の間にかけて配設されている。図１１
及び図１２に示すように、庇部９９は左右両サイド寄りを除いて同幅（本実施の形態では
５ｍｍ）に形成され、左右両サイド寄りでは端方向ほど突出量が少なくなるよう先細りに
構成されている。
平板部８１の後面８１Ｂは庇部９９を除いてガラスフレーム７６の裏面側における本体
枠１４への最接近位置とされ、図１２〜図１４に示すように、平板部８１の裏面側端面、
上部ブラケット８８の裏面、膨出部８０の裏面、側部耳板部９３の裏面及び下部耳板部９
４の裏面の各面はそれぞれ平板部８１の後面８１Ｂと同一平面上に存在する。つまり、ガ
ラスフレーム７６は庇部９９以外に後面８１Ｂが属する平面Ｆ（図１２及び図１３参照）
よりも後方側に突出することはない。
【００３３】
図１７に示すように、前記ガラス板７７，７８はそれぞれ装着されるガラスフレーム７
６のガラス板支持部８３ａ，８３ｂの形状（平板部８１の内周面８１ａ，８１ｂ形状と考
えてもよい）に対応した外形形状を備えている。前面側ガラス板７７は膨出部８０に対応
して異形に構成され、後面側ガラス板７８は楕円形状に構成されている。本実施の形態で
は前面側ガラス板７７は強化ガラス製とされ厚みは３．２ｍｍとされている。また、後面
側ガラス板７８は間にフィルムを介在させた二枚合わせの合わせガラス製とされ厚みは４
．２ｍｍとされている。前面側ガラス板７７を強化ガラス製としたのは主として防犯上の
観点からであり、後面側ガラス板７８を合わせガラス製としたのは主として遊技領域を落
下するパチンコ球の同ガラス板７８に衝突する音や衝撃を緩和するためである。
【００３４】
ガラス板７７，７８はガラスフレーム７６に対して凸条８２を挟んでそれぞれガラス板
支持部８３ａ，８３ｂに嵌合されている。両ガラス板７７，７８によって挟持された内部
空間は密閉状態で、かつ上記乾燥剤８６によって乾燥状態に保持されている。前面側ガラ
ス板７７は膨出部８０の前面を覆い、同前面側ガラス板７７を通して乾燥剤８６を目視す
ることが可能である。このように乾燥剤８６を前面側ガラス板７７を通して目視できるこ
とから乾燥剤８６の吸湿に伴う変色を実見して確認して交換することも可能となる。尚、
ガラスフレーム７６にはガラス板７７，７８は取り付けの際に内部の圧縮空気を外部に逃
がすための逃がし穴（図示は省略する）が設けられており、両ガラス板７７，７８を接着
剤で固着したのち、同逃がし穴が目張りされて内部が気密状態とされる。
図１５に示すように、両ガラス板７７，７８は外周縁を平板部８１の内周面８１ａ，８
１ｂに当接させた状態で接着剤としてのグルー剤（図示せず）によって凸条８２の両側面
８２ａに対して貼着されている。図２１〜図２４に図示されるようにガラス板７７，７８
の外表面位置はそれぞれ平板部８１の前後面８１Ａ，８１Ｂと面一ではなくわずかに前後
面８１Ａ，８１Ｂより内方に後退した位置（約１ｍｍ程度の後退量）とされている。
【００３５】
図８及び図９に示すように、ガラスユニット７５の前記回動軸８９，９１は扉枠６１の
裏面に配設された上下の軸受け金具１００に軸支されている。ガラスユニット７５は回動
軸８９，９１を軸心として扉枠６１に対して後方側に開放可能とされている。ガラスユニ
ット７５は扉枠６１の裏面に対して密着させられた状態で前記フック９５及び押さえ板９
７，９８において固定部材によって固定されている。図１８〜図２０に基づいて２点鎖線
で包囲された領域Ｒ１及び領域Ｒ２における固定状態について説明する。
【００３６】
まず、領域Ｒ１について説明する。図８、図９及び図２０に示すように、収容部５９内
にはクランプユニット６０が吊り下げ支持されている。本実施の形態ではクランプユニッ
ト６０の基本的な構造のみを説明する。クランプユニット６０のケース１０５内中央には
レバー１０６が回動軸１０４によって回動可能に軸支されている。ケース１０５内におい
てレバー１０６を挟んだ左右位置であって、かつ前後方向にずれた位置にクランプピン１
０７，１０８がそれぞれ配設されている。両クランプピン１０７，１０８は同形状に構成
された部材をそれぞれ左右方向に先端が向くように逆向きに対向配置したものであって、
両クランプピン１０７，１０８の基部寄りはレバー１０６の回動軸１０４を挟んで対向す
る部位に軸支されている。その結果、両クランプピン１０７，１０８とレバー１０６との
間にリンク機構が形成される。両クランプピン１０７，１０８はレバー１０６の回動に伴
って長孔１１０に案内されてケース１０５を左右にスライド移動する。
【００３７】
レバー１０６が図２０（ａ）に示す前方へ突出した位置にある場合には両クランプピン
１０７，１０８はケース１０５内に退避されている。そして、レバー１０６を図２０（ｂ
）のケース１０５の厚み内に収容される位置に回動させることで両クランプピン１０７，
１０８はそれぞれ先端がケース１０５から左右方向に突出する。
このような構成において、図２０（ａ）に示すような両クランプピン１０７，１０８を
ケース１０５内に退避させた状態、つまり両クランプピン１０７，１０８がフック９５と
干渉しない状態でフック９５を収容部５９内に収容させる。つまり、クランプユニット６
０のケース１０５が左右のフック９５間に配置されることとなる。そして、図２０（ｂ）
に示すようにレバー１０６を回動させることで両クランプピン１０７，１０８をケース１
０５から突出させ左右のフック９５の前方位置まで進出させる。これによって、フック９
５は両クランプピン１０７，１０８によって押さえられ扉枠６１側に固定されることとな
る（図８の状態）。
【００３８】
次に領域Ｒ２について説明する。尚、本実施の形態ではクランプレバー５８は３箇所に
配設されているが、説明の重複を避けるため詳しい説明は領域Ｒ２で代表させることとす
る。
ガラスユニット７５は前記取り付けスペース５７内に配置されている。図１９に示すよ
うに、位置決め板９６に形成された位置決め孔１１０内には扉枠６１裏面に形成された位
置決めピン１１１が配置されている。クランプレバー５８は回動軸１１２と押圧アーム１
１３を備えている。クランプレバー５８の押圧アーム１１３は図８に示す使用時において
図１８（ｂ）及び図１９の実線で示す位置で押さえ板９７を固定している。
一方、扉枠６１裏面上のクランプレバー５８に隣接する位置にはストッパ１１５及び押
圧丘１１６が形成されている。押圧丘１１６はなだらかに湾曲した丘状の突起体であって
、押圧アーム１１３の裏面と干渉してクランプレバー５８の遊動を防止する。従って、ク
ランプレバー５８は非使用時には押圧アーム１１３がストッパ１１５に当接するとともに
押圧丘１１６に保持されて図１８（ａ）及び図１９の仮想線で示す位置で保持される。
【００３９】
図２、図３及び図４に示すように、本体枠１４（遊技盤２７）の背面には各種制御装置
が重複状に配置されている。制御装置は大きく３つにユニット化されており、タンク１２
０や遊技球を供給するための遊技球供給装置１２１、保護カバー１２３等を備えた第１ユ
ニット１２４、主制御装置や音声ランプ制御装置を備えた第２ユニット１２５、払出制御
装置、発射制御装置及び電源装置を備えた第３ユニット１２６から構成されている。
【００４０】
次に、このように構成されたパチンコ遊技機１１において、パチンコ球発射通路４９と
ガラスユニット７５との関係について主として図７図２５及び図２６に基づいて説明する
。
図２５に示すように、本体枠１４に対して扉枠６１を閉鎖した状態においては、遮蔽部
９２はパチンコ球発射通路４９の斜線で表す領域を前面から遮蔽することとなる。同図及
び図７に示すように、遮蔽部９２は最もパチンコ球の勢いのよいパチンコ球発射通路４９
の前半部Ｐにおいてこれを前方から遮蔽している。（図２５のｐで示す帯状部分）。また
、パチンコ球の勢いの弱まる中半部Ｑについてはこれも図２５のｑで示す帯状部分によっ
て前方から遮蔽している。パチンコ球の勢いの最も弱まる後半部Ｒについては遮蔽の必要
性があまりなく、むしろパチンコ球発射通路４９から遊技領域へのパチンコ球の飛び出し
状況を遊技の一環として遊技者に目視させるために遮蔽部９２は後半部Ｒにはほとんどか
かっていない。
【００４１】
図２５及び図２６に示すように、遮蔽部９２が形成されている位置においては両ガラス
板７７，７８はわずかではあるがパチンコ球発射通路４９の前方位置に存在することとな
っている。つまり、本実施の形態では後面側ガラス板７８は内レール５２よりも外側のパ
チンコ球発射通路４９側にはみ出すこととなっている。しかし、パチンコ球が球体である
ことから後面側ガラス板７８がこのようにパチンコ球発射通路４９側にはみ出したとして
も図２６に示すように、最もパチンコ球が後面側ガラス板７８に接近した位置にあっても
パチンコ球の径とガラス板７８のパチンコ球発射通路４９側へのはみ出し量の関係からパ
チンコ球は後面側ガラス板７８に接触することはない。
【００４２】
さて、パチンコ球発射ユニット１７によって打ち出された遊技球（パチンコ球）は補助
レール２０を滑走した後、外レール５１に乗り移りパチンコ球発射通路４９を通過する。
この際に発射されたパチンコ球は常に同じ軌跡で外レール５１を滑走するわけではない。
更に、打ち出されたすべてのパチンコ球が遊技領域に至るわけではない。中には十分な推
進力を与えられずにパチンコ球発射通路４９を逆進するパチンコ球もある。そのため、パ
チンコ球発射通路４９内では周囲の壁面にパチンコ球が接触したり逆進するパチンコ球と
衝突したパチンコ球が跳ねて周囲の壁面に強く当たってしまうこととなる。従来であれば
パチンコ球発射通路４９の前方は後面側ガラス板が遮蔽していたため、このようなパチン
コ球の挙動によってガラス板に傷やひびが入りやすかった。
ところが、本実施の形態では最もパチンコ球の勢いのよいパチンコ球発射通路４９の前
半部Ｐ及び未だ勢いの強い中半部Ｑにおいて完全にガラスフレーム７６の遮蔽部９２によ
って遮蔽されるためパチンコ球は後面側ガラス板７８には当たることがない。
【００４３】
次に、このように構成されたパチンコ遊技機１１において、扉枠６１の裏面に配設され
たガラスユニット７５と本体枠１４側の遊技盤２７との関係について主として図６、図７
及び図２１〜図２４に基づいて説明する。図７は図６を補填する図であって、本体枠１４
側について遊技面２７ａ以外の部分を省略し、ガラスフレーム７６について膨出部８０に
おける凹部８４の構造を省略して重ね合わせたものである。パチンコ遊技機１１では前後
方向に重複する部材の相互の部材の線図が交錯して分かりにくくなるため、単一の図面で
部材の重複状態を図示するのは困難である。そのため、本発明の要部以外の従属的な部材
について省略して図７を表したものである。
【００４４】
図６及び図７に示すように、本体枠１４に対して扉枠６１を閉鎖した状態においては、
ガラスフレーム７６の凸条８２によって包囲された内側領域は略遊技領域と略一致する。
このとき、本実施の形態ではガラスフレーム７６（平板部８１）の後面８１Ｂと遊技面２
７ａとの間隔は１９．５ｍｍに設定され、同じく後面８１Ｂと内レール５２前端との間隔
は３ｍｍに設定されている。このようなガラスフレーム７６と遊技面２７ａとの間隔はパ
チンコ球の大きさや遊技面２７ａに配置された各種部材（液晶ディスプレイ３６や風車４
３等）の突出量や遊技釘の突出量を考慮して設定されたものである。これによって遊技面
２７ａに前面は遊技面２７ａに接触することなく、扉枠６１背面に配設されたガラスユニ
ット７５が配置されることとなり、なおかつ遊技領域を落下してくる遊技球（パチンコ球
）が内レール５２とガラスユニット７５との隙間から本体枠１４と扉枠６１の間にこぼれ
落ちてしまうこともない。
【００４５】
図７に示すように、凸条８２によって画定されるガラスフレーム７６の内周は本体枠１
４に対して扉枠６１を閉鎖した状態において内レール５２近傍であって内レール５２のわ
すかに外側に配置されている。上記のようにガラスフレーム７６の後面８１Ｂと内レール
５２前端との間隔は３ｍｍとされているが、後面８１Ｂから後方に最長５ｍｍの庇部９９
が突出されているため、図２２〜図２４に示すように、内レール５２と庇部９９とは重複
配置されることとなる。図７における、内レール５２の最下部位置となるＡ−Ａ位置にお
いては庇部９９は後面８１Ｂから後方に５ｍｍ突出するため、図２１に示すように内レー
ル５２前端と２ｍｍの重複となる。また、Ａ−Ａ位置から若干左右方向に振った位置、例
えばＢ−Ｂ位置でも庇部９９は後面８１Ｂから後方に５ｍｍ突出するため、図２２に示す
ように内レール５２前端と２ｍｍの重複となる。
【００４６】
しかし、最下部位置から離間して内レール５２に縦成分が増えてくる位置（ここでは湾
曲した内レール５２の両サイド寄り）では扉枠６１開放時に内レール５２と庇部９９の干
渉を防止する必要がある。本実施の形態では例えば図１２等に示すように庇部９９は縦成
分が大きくなるにつれて左右両サイド寄りでは端方向ほど突出量が少なくなるよう先細り
に構成されている。従って、例えばＣ−Ｃ位置では図２３に示すように内レール５２前端
との重複量は上記位置よりも少なくなっている（ここでは半分程度）。
このように庇部９９は内レール５２の下部の比較的広い範囲において内レール５２の下
側に重複配置されることとなる。
また、受け皿６７裏面の通路６８から比較的離間したＤ−Ｄ位置には内レール５２は配
置されていない。但し、この位置では遊技領域を画定する窓孔２９の一部壁面３１が若干
遊技領域側にオフセットしており、図２４に示すようにガラスフレーム７６が前板部３０
と重複されている。
【００４７】
このような庇部９９が形成されていなければ、ガラスフレーム７６と内レール５２前端
との間には隙間が形成されることとなり、不正を試みる者は図７に示すように通路６８の
壁面裏面に連通する透孔を形成して、ワイヤのような細長い道具を差し入れてこの隙間か
らワイヤを遊技面２７ａに導くことが可能である。
しかし、本実施の形態では本体枠１４に扉枠６１を閉鎖させた状態では内レール５２に
対して庇部９９は同内レール５２の下部位置に重複状に配置されることとなるため、ワイ
ヤを差し入れようとしてもこれらの重複関係によって隙間が遮蔽されるため、ワイヤを遊
技面２７ａに導くことが困難になる。また、例え導くことが可能であっても操作に非常に
時間がかかる傾向となるため抑止効果が大きい。結果として、遊技釘の間隔を拡げるよう
な不正行為が行いにくくなる。
【００４８】
また、庇部９９は内レール５２の下側位置で重複しているため、遊技領域に何らの構造
上の変化はなく、遊技者は庇部９９の有無によって遊技内容に影響を受けることはない。
また、庇部９９は扉枠６１の開放に伴って扉枠６１とともに内レール５２と重複した位
置から移動して離間するため、本体枠１４側の点検のために扉枠６１を開放した際に庇部
９９が点検作業の邪魔になることはない。
更に、内レール５２は円弧状に形成されているため、左右両サイド寄りでは縦成分が発
生する。その際に庇部９９が後方にあまり長く突出していると扉枠６１の回動に伴って一
緒に回動し、庇部９９が内レール５２と干渉して扉枠６１を開放できない可能性が生じる
。
しかし、本実施の形態では庇部９９は縦成分が大きくなる左右両サイド寄りでは縦成分
の増大に伴って突出量を減少させているため、扉枠６１の開放に伴う部材干渉が生じない
ようになっている。
【００４９】
以上のように構成することによって上記実施の形態では次のような効果を奏する。
（１）パチンコ球発射通路４９では前方側が遮蔽部９２によって遮蔽され、後面側ガラス
板７８が面することがないので、パチンコ球発射通路４９を通過するパチンコ球が後面側
ガラス板７８に当接してガラス面に傷がついたり割れたりするといった不具合が生じるこ
とはない。特に、パチンコ球の勢いが強い前半部Ｐと中半部Ｑとを完全にカバーしている
ため、最も傷がついたり割れやすいこの間においてそのようなおそれがなくなる。
（２）後面側ガラス板７８は若干パチンコ球発射通路４９前方位置まではみ出して形成さ
れ、遊技者において目視用窓孔６２を通して遊技面２７ａを見た場合に非常に広く感じら
れる。
ところで、理論的には後面側ガラス板７８を内レール５２きりきりの位置に配置し、同
ガラス板７８がパチンコ球発射通路４９前方位置まではみ出していないとしても遊技領域
全域は目視できるかもしれない。しかし、実際にはガラス７７，７８を支持している凸条
８２が邪魔となってり斜め方向から見ないと遊技領域の隅寄りは実際には目視できないこ
ととなる。更に２枚のガラス７７，７８を斜め方向から目視するとガラスの厚みが増すこ
ととなって透過率が下がるのでガラス７７，７８に正対した場合に比べて非常に見えにく
くなる。ところが、本実施の形態では比較的ガラス７７，７８に正対した位置で遊技領域
の隅寄りを目視できるのでそのような不具合はない。
（３）後面側ガラス板７８は若干パチンコ球発射通路４９前方位置まではみ出して形成さ
れている。そのため、わずかな隙間ではあるがこのはみ出した部分を通してパチンコ球発
射通路４９を目視できることとなって遊技の興趣が増すこととなる。更に、パチンコ球発
射通路４９内で万一パチンコ球が詰まってもパチンコ球発射通路４９内のパチンコ球の動
きを確認できるためわざわざ扉枠６１を開放しなくとも不具合状況を把握することが可能
となる。
（４）乾燥剤８６が収容を収容する膨出部８０が同時に遮蔽部９２の一部を構成すること
となり、別途乾燥剤８６を収容するスペースをガラスフレーム７６に形成する必要がなく
なる。
【００５０】
本発明は以下のような態様に変更して実施することが可能である。
・上記実施の形態では膨出部８０内の凹部８４内に収容領域Ｓを設けここに乾燥剤８６
を収容するようにしていたが、両ガラス板７７，７８によって内部に密閉された内部空間
を設けない場合には図２７に示すように乾燥剤８６のための収容領域Ｓを設けなくとも構
わない。また、スペースの余裕があればガラスフレーム７６に現状の膨出部８０以外の収
容領域Ｓを形成して乾燥剤８６を配設するようにしてもよい。
【００５１】
図２８に示すように、遮蔽部９２の裏面にちょうどパチンコ球発射通路４９の形状に略
沿った振動吸収手段としての起毛テープ１２１を貼着するようにしてもよい。起毛テープ
１２１は公知の静電植毛工程（テープ本体への接着剤の塗布→静電植毛→余剰パイル除去
→乾燥）によって形成される。起毛テープ１２１は非常に薄手であるので遮蔽部９２の裏
面に貼着しても遮蔽部９２の配置スペースに影響はない。このような起毛テープ１２１を
貼着することによってガラスフレーム７６に対するパチンコ球の接触や衝突による振動が
緩和される。また、パチンコ球の接触や衝突による騒音も軽減されることとなる。その他
振動吸収手段としては起毛テープ１２１以外に弾性のある防振ゴム製のテープ体としても
よい。
【００５２】
・上記ガラスフレーム７６の構成は一例であって、これに限定されるものではない。例
えば、上記実施の形態ではガラスユニット７５は扉枠６１に対して回動して開閉可能とさ
れていたが、開閉できなくとも構わない。また、扉枠６１へのガラスユニット７５の装着
方法は特に限定はされない。つまり、上記のようにクランプユニット６０やクランプレバ
ー５８を使用せず他の固定手段を使用することも自由である。
・上記実施の形態のパチンコ遊技機１１では扉枠６１に上受け皿６７、下受け皿７１、
遊技球打ち出し用ハンドル７３が配設されていたが、本発明は扉枠６１とは別体のパネル
体に下受け皿や、遊技球打ち出し用ハンドルを配設するようにしたパチンコ遊技機に応用
することも自由である。
・上記実施の形態においてはいわゆる第１種始動口付きパチンコ遊技機に応用したが、
レール部材と扉体側に形成させた突出部との関係で不正防止が可能なパチンコ遊技機であ
れば機種は問わない。
その他、本発明の趣旨を逸脱しない態様で実施することは自由である。
【００５３】
上記請求項に適宜追加可能な上記実施の形態から把握できる本発明のその他の技術的思
想について下記に付記として説明する。
（１）  前記遮蔽部の背面と前記透明体の背面とは略面一に構成されていることを特徴
とする請求項１〜５のいずれかに記載のパチンコ遊技機。
（２）前記振動吸収手段とは前記遮蔽部の裏面に貼着された振動吸収用のシート体であ
ることを特徴とする請求項１〜５若しくは付記１のいずれかに記載のパチンコ遊技機。。
これによって透明体フレームに対するパチンコ球の接触や衝突による振動が緩和される
。また、パチンコ球の接触や衝突による騒音も軽減される。
（３）前記振動吸収用のシート体とは起毛処理された起毛テープであることを特徴とす
る付記２に記載のパチンコ遊技機。。
これによって透明体フレームに対するパチンコ球の接触や衝突による振動が緩和される
。また、パチンコ球の接触や衝突による騒音も軽減される。
【符号の説明】
【００５４】
１１…パチンコ遊技機、１４…遊技体としての本体枠、２７…遊技体の一部をなす遊技
盤、４９…パチンコ球通過領域、５１…レール部材としての外レール、５２…レール部材
としての内レール、６１…扉体としての扉枠、６２…窓部、６７…パチンコ球用受け皿と
しての上受け皿、６８…通路、７７，７８…透明体としてのガラス板、７５…透明体ユニ
ットとしてのガラスユニット、７６…保持枠体としてのガラスフレーム、９２…遮蔽部。
【図１】
0005644835.tif 000002
【図２】
0005644835.tif 000003
【図３】
0005644835.tif 000004
【図４】
0005644835.tif 000005
【図５】
0005644835.tif 000006
【図６】
0005644835.tif 000007
【図７】
0005644835.tif 000008
【図８】
0005644835.tif 000009
【図９】
0005644835.tif 000010
【図１０】
0005644835.tif 000011
【図１１】
0005644835.tif 000012
【図１２】
0005644835.tif 000013
【図１３】
0005644835.tif 000014
【図１４】
0005644835.tif 000015
【図１５】
0005644835.tif 000016
【図１６】
0005644835.tif 000017
【図１７】
0005644835.tif 000018
【図１８】
0005644835.tif 000019
【図１９】
0005644835.tif 000020
【図２０】
0005644835.tif 000021
【図２１】
0005644835.tif 000022
【図２２】
0005644835.tif 000023
【図２３】
0005644835.tif 000024
【図２４】
0005644835.tif 000025
【図２５】
0005644835.tif 000026
【図２６】
0005644835.tif 000027
【図２７】
0005644835.tif 000028
【図２８】
0005644835.tif 000029